(57)【要約】      （修正有）【課題】フィット感、装着感および吸収性能に優れた吸収性物品を提供する。【解決手段】液透過性のトップシート２と、不液透過性のバックシートと、トップシート２とバックシートの間に配置された吸収層３からなる吸収性物品１であって、吸収層は上下２層構造を有し、下層吸収層３２の面積は上層吸収層３１の面積の４０〜７０％、下層吸収層の基材の坪量は上層吸収層の坪量の８０〜１６０％、下層吸収層のＳＡＰ坪量は上層吸収層のＳＡＰ坪量の１００〜３００％であり、上層吸収層と下層吸収層が重なる領域に、下層吸収層に至るまでチャネルエンボス８を設けている。【選択図】図１
2015008883.tif 000002
【特許請求の範囲】
【請求項１】
液透過性のトップシートと、
不液透過性のバックシートと、
前記トップシートと前記バックシートの間に配置された吸収層を備えた吸収性物品であって、
前記吸収層は上層と下層とが少なくとも一部重なった上下２層構造を有し、
前記下層の面積は前記上層の面積の４０〜７０％であり、
前記下層の基材の坪量は、前記上層の基材の坪量の８０〜１６０％であり、
前記下層の高吸収性ポリマーの坪量は、前記上層の高吸水性ポリマーの坪量の１００〜３００％であり、
前記上層と前記下層が重なる領域に前記上層から前記下層に至るまでチャネルエンボスが形成されていることを特徴とする吸収性物品。
【請求項２】
前記チャネルエンボスは、複数のチャネルエンボスを有し、
長手方向前方部に設けられた幅方向内側に湾曲する一対の第１チャネルエンボスと、
長手方向後方部に設けられた幅方向外側に湾曲する一対の第２チャネルエンボスと、
前記第２チャネルエンボスの内側に設けられた長手方向後方部に突出する略Ｕ字形状の第３チャネルエンボスと、
長手方向両端部に設けられた長手方向外側に湾曲する一対の第４チャネルエンボスとが、
それぞれ離間して形成されていることを特徴とする請求項１の吸収性物品。
吸収性
【請求項３】
前記下層の厚さが前記上層の厚さの、５０〜２００％であることを特徴とする請求項１または請求項２記載のいずれかに記載の吸収性物品。
【請求項４】
前記下層における前記チャネルエンボスの深さは、前記下層の厚さの１０〜９０％であることを特徴とする請求項１ないし請求項３のいずれか記載の吸収性物品。
【発明の詳細な説明】
【技術分野】
【０００１】
本発明は、吸収性能、フィット感に優れた使い捨ての吸収性物品に関する。
【背景技術】
【０００２】
従来、尿吸収パッド、パンティライナー、生理用ナプキン、紙オムツ等の吸収性物品は、液透過性のトップシートと、不液透過性のバックシートと、トップシートとバックシートの間に設けた吸収層とを有する構造が一般的であり、その際、吸収層は、パルプ等の基材中に、高吸収性ポリマー（ＳＡＰ：Ｓｕｐｅｒａｂｓｏｒｂｅｎｔ  Ｐｏｌｙｍｅｒ）を混合させていることが多い。使用者は、下着への吸収性物品の装着、あるいは、パンツ型の吸収性物品の着用により、血液、尿等の液体（以下、体液と称する。）を吸収性物品に吸収させている。
【０００３】
吸収性物品は、例えば、長時間の着用により、大量の体液を吸収する場面が多く存在しており、体液の横漏れ防止や、着用する際のフィット感の向上を図るため、各構成に対する組成、構造等の開発が行われている。
【０００４】
特許文献１には、肌当接面を構成する表面シート、非肌当接面を構成する裏面シート及び両シート間に介在する吸収体を備えた縦長の吸収性物品であって、前記吸収体は、吸収性物品の排泄領域のみに、周辺部よりも厚みが厚い中高部を有し、吸収性物品の肌当接面における少なくとも前記中高部の幅方向外方には、それぞれ、前記表面シートと前記吸収体とを一体化する外溝が形成されており、吸収性物品の肌当接面における前記中高部の後方近傍には、吸収性物品の幅方向に延びる中溝が形成されており、該中溝の両端部は、それぞれ、該中高部よりも幅方向外方に位置し且つ前記外溝から離間している吸収性物品が開示されている。
【０００５】
また、特許文献２には、透液性表面シートと不透液性裏面シートとの間に吸収体が介在された吸収性物品において、前記吸収体の非肌当接面側に、排血口部より後方の幅方向中央部の交点から斜め前方の両側に向けて形成された左右一対の前方溝と、前記交点から前記吸収性物品の長手方向に沿う後方に向けて形成された後方溝とから成るＹ字状溝が形成されていることを特徴とする吸収性物品が開示されている。
【先行技術文献】
【特許文献】
【０００６】
【特許文献１】特開２００９−０５６２６９号公報
【特許文献２】特開２０１２−０７１１０２号公報
【発明の概要】
【発明が解決しようとする課題】
【０００７】
しかしながら、特許文献１では吸収性物品の中央部分に、下層よりも面積を縮小させた上層を配置すると、液体吸収前はフィット性が向上し、装着時の違和感は軽減するものの、吸収層上下２層の厚みの差により、生産時に吸収性物品の表面へ皺が入り、肌への負担が増える恐れや、吸収後には中高部分のみが極端に膨れ上がり、装着感とフィット性が悪くなることがある。さらに、特許文献２では複数の溝を形成した吸収層の場合、装着感とフィット性は向上するものの、吸収性物品の作業工程数が増加し、生産性に劣るものとなった。
【０００８】
本発明はこのような事情に鑑みてなされたものであり、その目的は簡単な構成で、装着感、フィット性及び吸収性能に優れた吸収性物品を提供することにある。
【課題を解決するための手段】
【０００９】
このような目的を達成するため、本発明は、以下の構成によって把握される。
（１）本発明の吸収性物品は、液透過性のトップシートと、不液透過性のバックシートと、前記トップシートと前記バックシートの間に配置された吸収層を備えた吸収性物品であって、前記吸収層は上層と下層とが少なくとも一部重なった上下２層構造を有し、前記下層の面積は前記上層の面積の４０〜７０％であり、前記下層の基材の坪量は、前記上層の基材の坪量の８０〜１６０％であり、前記下層のＳＡＰの坪量は、前記上層の高吸収性ポリマーの坪量の１００％〜３００％であり、前記上層と前記下層が重なる領域に前記上層から前記下層に至るまでチャネルエンボスが形成されていることを特徴とする。
【００１０】
この構成によれば、所定の面積・坪量を有する吸収層２層と、所定の位置に配置されたチャネルエンボスにより、装着感に優れ、フィット性及び吸収性能が向上した吸収性物品となる。
【００１１】
（２）本発明の吸収性物品は、（１）の構成において、前記チャネルエンボスは、複数のチャネルエンボスを有し、長手方向前方部に設けられた幅方向内側に湾曲する一対の第１チャネルエンボスと、長手方向後方部に設けられた幅方向外側に湾曲する一対の第２チャネルエンボスと、前記第２チャネルエンボスの内側に設けられた長手方向後方部に突出する略Ｕ字形状の第３チャネルエンボスと、長手方向両端部に設けられた長手方向外側に湾曲する一対の第４チャネルエンボスとが、それぞれ離間して形成されていることを特徴とする。
【００１２】
この構成によれば、所定の位置に複数の独立したエンボスを設けることにより、吸収速度と液戻りの防止力を向上することができる。
【００１３】
（３）本発明の吸収性物品は、（１）または（２）のいずれかの構成において、前記下層の厚さが前記上層の厚さの、５０〜２００％であることを特徴とする。
【００１４】
この構成によれば、所定の割合の厚さである吸収層上下２層により、吸収後のフィット感を向上させることができる。
【００１５】
（４）本発明の吸収性物品は、（１）ないし（３）のいずれかの構成において、前記下層における前記エンボスの深さは、前記下層の厚さの１０〜９０％であることを特徴とする。
【００１６】
この構成によれば、トップシートと吸収層上下２層が一体化することにより、フィット感と吸収速度をさらに向上することができる。
【発明の効果】
【００１７】
本発明によれば、簡単な構成で、装着感、フィット性及び吸収性能に優れた吸収性物品を提供することができる。
【図面の簡単な説明】
【００１８】
【図１】本発明にかかる吸収性物品の概略図である。
【図２】図１の吸収性物品におけるＸ１−Ｘ１’、Ｘ２−Ｘ２’、Ｙ−Ｙ’断面図である。
【図３】従来における吸収性物品の概略図である。
【発明を実施するための形態】
【００１９】
（実施形態）
上記課題を解決するため、本発明の吸収性物品の好ましい実施の形態（以下、実施形態という）を、以下に詳細に説明する。実施形態の説明は全体を通して同じ要素には同じ番号を付している。
【００２０】
本明細書において、吸収性物品等の「長手方向」とは、吸収性物品が着用された際に、使用者の前後に渡る方向を示し、吸収性物品等の「幅方向」とは、「長手方向」に対して、横又は直交する方向を示す。
【００２１】
本発明における吸収性物品１の一実施形態について、図１ないし図２にて説明する。吸収性物品１は、肌と接触する側から順に、液透過性のトップシート２、トップシート２とバックシート４の間に配置されて、吸収層３は上下２層構造で、上層に位置する液保持性の吸収層３１（以後、上層吸収層３１と称する。）及び下層に位置する液保持性の吸収層３２（以後、下層吸収層３２と称する。）、トップシート２から下層吸収層３２にかけて、バックシート４側にチャネルエンボス８（凹状のエンボス）を規定の形状に形成し、さらに、液不透過性のバックシート４が厚さ方向に重ねて配置され、立体ギャザー５を含めて、吸収性物品本体１０を構成している。また、本実施形態の吸収性物品１の着用時には、長手方向前方部Ａが使用者の前（腹）側に配され、後方部Ｂが使用者の後（背中）側に配される。
【００２２】
本発明の吸収性物品１としては、特に制限はないが、例えば、尿吸収パッド、パンティライナー、生理用ナプキン、紙オムツ等をあげることができる。
【００２３】
本実施形態のトップシート２の基材は、血液、体液等の液体が吸収層３へと移動するような液透過性を備えていればよく、例えば、エアースルー不織布を代表とするサーマルボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。なかでも、尿等の逆戻り防止の観点から、前記エアースルー不織布や漏斗状断面を有する開口性フィルムが好ましい。また、液透過性を向上させるために、トップシート２にエンボス加工や穿孔加工を施すことが好ましい。その加工方法は、公知の方法を制限なく行うことができる。また、肌への刺激を低減させるために、トップシート２に、ローション、酸化防止剤、抗炎症成分、ｐＨ調整剤、抗菌剤、保湿剤等を含有させることも好ましい。さらに、強度および加工性の点から、トップシート２の坪量は、１０〜５０、さらに好ましくは１５〜３０ｇ／ｍ２程度であることが好ましい。
【００２４】
トップシート２の肌当接面側に、立体ギャザー５を長手方向両側縁部に、長手方向前方部Ａから長手方向後方部Ｂにかけて設けることが好ましい。立体ギャザーの幅方向外側の部分は、トップシート２に固定され、幅方向内側の部分は、バックシート４に固定されず、長手方向に沿って糸ゴム等の立体ギャザー用弾性部材５１を備えることで、起立性を有し、使用者の体型に合わせて伸縮自在に変形可能となる。
【００２５】
また、トップシート２の肌当接面側には、吸収性物品１の横漏れをより確実に防ぐために、吸収性物品１の幅方向両側縁部から幅方向内側にかけて、バリヤシート（図示せず）を設けることも好ましい。サイドシートの基材は、液不透過性であることが好ましく、例えば、サーマルボンド不織布等の不織布、スパンボンド不織布、サーマルボンド／スパンボンドを積層した複合不織布、ポリエチレンフォーム、ウレタンフォーム等の発泡フィルム、あるいは、これらを積層した複合シートといった材料から形成される。さらに、吸収性物品１の幅方向両側縁から幅方向外側に突出するウイング状フラップ（図示せず）を設けることも好ましい。ウイング状フラップは、例えば、バックシート４と、不織布との積層により形成することができる。
【００２６】
本実施形態の吸収層３は、下層吸収層３２の面積を、上層吸収層３１の４０〜７０％とする上下２層構造をとることで、下層吸収層３２の面積が上層吸収層３１の面積より広いものと比較して、生産時に吸収性物品１の肌当接面側に皺が入りにくくなる。また、下層吸収層３２の基材の坪量を、上層吸収層３１の基材の坪量の８０〜１６０％、下層吸収層３２の高吸収性ポリマーの坪量を、上層吸収層３１の高吸水性ポリマーの坪量の１００〜３００％とすることで、体液に対する吸収性能が向上する。
【００２７】
上層吸収層３１及び下層吸収層３２の面積は、室温にて静置された吸収性物品１から、吸収層３を取出し、トップシート２、バックシート４といった吸収層３以外のものをなるべく排除したものを測定に使用した。吸収層の面積は、吸収体を上部より撮影し、三谷商事株式会社製画像処理ソフトＷｉｎ  ＲＯＯＦを使用し、画像処理により測定することができる。
【００２８】
さらに、下層吸収層３２の厚さＷ２が上層吸収層３１の厚さＷ１の、５０〜２００％であることにより、フィット性が向上し、モレ防止効果が生じる。
【００２９】
上層吸収層３１及び下層吸収層３２の厚さは、面積の測定と同様に、吸収性物品１から吸収層３を取出したものを測定に使用した。吸収層の厚さは、無荷重下、および荷重下３５ｇｆ／ｃｍ２にて、ハイトゲージ（株式会社ミツトヨ製）等の測定機器の使用により、測定することができる。
【００３０】
吸収層３の基材は、一般に生理用ナプキンやおむつ、尿パッド等の吸収性物品に使用されるものであれば特に制限はなく、例えば、フラッフパルプ、コットン、レーヨン、アセテート、ティシュ、吸収紙、親水性不織布といった材料から形成される。この中で、吸収性の観点から、フラッフパルプが好ましい。かかるフラッフパルプとしては、木材パルプ及び合成繊維、ポリマー繊維等の非木材パルプを綿状に解繊したものをあげることができる。また、吸収性能および肌触りを損なわないよう、下層吸収層３２の基材の坪量を３００〜６００ｇ／ｍ２とすることが好ましい。
【００３１】
吸収層３の高吸収性ポリマー（ＳＡＰ）は、体液を吸収し、かつ、逆流を防止できるものであれば特に制限はなく、例えば、ポリアクリル酸ナトリウム、ポリアスパラギン酸、(デンプン−アクリル酸)グラフト共重合体、アクリル酸−ビニルアルコール)共重合体、 (イソブチレン−無水マレイン酸)共重合体及びそのケン化物、といった材料から形成される。この中で、重量当たりの吸収量の観点から、ポリアクリル酸ナトリウムが好ましい。また、吸収性能および肌触りを損なわないよう、上層吸収層３１の高吸収ポリマーの坪量は、１００〜５００ｇ／ｍ２とすることが好ましい。
【００３２】
吸収層３の基材と高吸収性ポリマーは、基材中に高吸収性ポリマー粒子を混合して形成したもの、あるいは、基材間に高吸収性ポリマー粒子を固着したＳＡＰシートとすることが好ましい。また、高吸収性ポリマー粒子の漏洩防止や吸収層３の形状を安定させるために、吸収層３をキャリアシート６に包むことが好ましい。キャリアシート６は、吸収層３のトップシート２側（上部）あるいはバックシート４側（下部）又はその両方に備える形態の他、上層吸収層３１または下層吸収層３２をそれぞれ包みこむ形態あるいは、上層吸収層３１または下層吸収層３２をまとめて包み込む形態をとることもできる。キャリアシート６の基材としては、親水性を有するものであればよく、ティシュ、吸収紙、エアレイド不織布等の親水性不織布をあげることができる。キャリアシート６を複数備える場合は、キャリアシート６の基材は同一のものであっても異なるものであってもよい。
【００３３】
吸収層３の形状としては、一般に生理用ナプキンやおむつ、尿パッド等の吸収性物品に使用されるものであれば特に制限はなく、例えば、矩形状、砂時計状、Ｉ字状等をあげることができる。また、吸収層３の上下２層の厚みによる着用時の違和感を減少させるため、吸収性物品１の長手方向前後の領域は、上層吸収層３１の１層のみであることが好ましい。さらに、吸収層３の表面にエンボス加工を施すと、体液の拡散をコントロールすると共に、使用者の体型に応じて吸収層３が容易に変形するので好ましい。
【００３４】
上層吸収層３１の上面への尿等の液体の拡散を促進するために、トップシート２と吸収層３の間に、液拡散性シート７を設けることができる。かかる液拡散性シート７としては、例えば、エアースルー不織布、ポイントボンド不織布、スパンボンド不織布やメルトブロー不織布、あるいは、スパンボンド／メルトブロー、スパンボンド／メルトブローン／スパンボンドを積層した複合不織布があげられる。液拡散性シート７の厚さは、０．１ｍｍ以上が好ましく、その坪量は１５ｇ／ｍ２以上が好ましい。厚さが０．１ｍｍ未満、あるいは、坪量が１５ｇ／ｍ２未満であると、上層吸収層３１の上面全体への液体の拡散が十分に行われないので好ましくない。また、液拡散性シート７の形状は、特に制限はないが、体液が、くまなく上層吸収層３１に拡散するように、上層吸収層３１の表面を完全に覆うことができる形状であることが好ましい。
【００３５】
本実施形態のバックシート４の基材は、吸収層３が保持している体液が下着に漏れないような液不透過性を備えたものであればよく、不織布、樹脂フィルム、あるいはこれらを積層した複合シートといった材料から形成される。かかる不織布は、製法を特に限定せず、例えば、スパンボンドやメルトブロー不織布、あるいは、スパンボンド／メルトブロー、スパンボンド／メルトブローン／スパンボンドを積層した複合不織布及びこれらの複合材料があげられる。また、かかる樹脂フィルムとしては、例えば、ポリエステル、ポリビニルアルコール、ポリエチレン、ポリプロピレン、ポリエチレンとポリプロピレンの複合フィルム等があげられる。バックシート４には、下着等に粘着させる粘着部（図示せず）を設けることが好ましい。
【００３６】
強度および加工性の点から、バックシート４の坪量は、１５〜４０ｇ／ｍ２程度であることが好ましい。また、装着時の蒸れを防止するため、バックシート４は透湿性を持たせることが好ましい。透湿性を備えさせるために、例えば、基材の樹脂フィルムにフィラーを配合することや、バックシート４にエンボス加工を施すことがあげられる。フィラーとしては、炭酸カルシウムをあげることができ、その加工方法は、公知の方法を制限なく行うことができる。
【００３７】
本実施形態のチャネルエンボスは、図３に示すような、従来の下層吸収層３２の面積が、上層吸収層３１の面積よりも広い吸収性物品１におけるチャネルエンボス８とは異なり、図１（ａ）に示すように、上層吸収層３１と下層吸収層３２が重なる領域に形成され、その深さは下層吸収層３２に至る。これにより、下層吸収層３２へと体液が効率よく拡散誘導され、吸収性能が向上した吸収性物品となる。
【００３８】
また、下層吸収層３２におけるチャネルエンボスの深さＷ３は、下層吸収層の厚さＷ２の１０〜９０％であることにより、トップシートと吸収層上下２層がチャネルエンボスにより一体化して、吸収性物品１の内部で各構成要素がズレにくくなり、フィット性と吸収速度を向上することができる。チャネルエンボスの深さＷ３は、例えば、ハイトゲージ（株式会社ミツトヨ製）を用いて無荷重下の吸収性物品１の厚さを測定し、その後、針を用いてチャネルエンボス８の底部からバックシート４までの厚さを測定し、吸収性物品１の厚さから差し引いて測定することができる。
【００３９】
また、図１（ｂ）に示すように、チャネルエンボスを、長手方向前方部Ａに設けられた幅方向内側に湾曲する一対の第１チャネルエンボス８１と、長手方向後方部Ｂに設けられた幅方向外側に湾曲する一対の第２チャネルエンボス８２と、第２チャネルエンボス８２の内側に設けられた長手方向後方部Ｂに突出する略Ｕ字形状の第３チャネルエンボス８３と、長手方向両端部（Ａ及びＢ）に設けられた長手方向外側に湾曲する一対の第４チャネルエンボス８４を、それぞれ離間して形成することにより、体液が吸収層３全体に拡散誘導されて、高吸収性ポリマーが体液を保持するので、多量の体液であっても、吸収速度の低下及び液戻り量を抑制することができる。
【００４０】
チャネルエンボスは、例えば、熱エンボス法、超音波エンボス法、高周波エンボス法により形成することができる。熱エンボス法の場合、チャネルエンボス８に対応する凸部形状を有するエンボスロールと、エンボスロールの周面に配置された受けロールあるいはベルトの間に、トップシート２と吸収層３を挟み込む形で積層したものを通過させて、これらを一体的に加熱及び加圧処理を行うことで、チャネルエンボス８（第１チャネルエンボス８１、第２チャネルエンボス８２、第３チャネルエンボス８３及び第４チャネルエンボス８４）が形成される。
【００４１】
本実施形態の吸収性物品１は、上記に示すチャネルエンボス８を形成したトップシート２及び吸収層３に、バックシート４を積層したものを、その周囲を一部あるいは全周に渡ってホットメルト系接着剤を用いて固定することにより製造する。ホットメルト系接着剤の種類及び塗布方法は特に限定されないが、ノズルから溶融状態の接着剤を非接触で塗布するカーテンコート法やスパイラル法、また、接触式では、スロット法等の公知の方法が適用できる。
【実施例】
【００４２】
以下の実施例により、本発明をさらに具体的に説明する。なお、本発明はその要旨を超えない限り、以下の実施例の記載に限定されるものではない。
【００４３】
本実施例は、吸収層３は、基材であるフラッフパルプ中に、高吸収性ポリマーを混合して形成したものを使用し、液透過性トップシート２として、エアースルー不織布（坪量２０ｇ／ｍ２）を用い、不透過性バックシート４として、非通気性ポリエチレンシート（坪量２２ｇ／ｍ２）を用い、液拡散シート７として、エアースルー不織布（坪量２５ｇ／ｍ２）を用いた。
実施例１のフラッフパルプは、上層吸収層３１の重量を６．５ｇ、下層吸収層３２の重量を４．１ｇ、合計１０．６ｇ、上層吸収層３１の面積を１８１．７ｃｍ２、下層吸収層３２の面積を１０６．２ｃｍ２、上下２層の面積比を（下層／上層＊１００）５８％、上層吸収層３１の坪量を３５７．７ｇ／ｍ２、下層吸収層３２の坪量を３８６．１ｇ／ｍ２、上下２層の坪量比を（下層／上層＊１００）１０８％、上層吸収層３１の厚さを３.０ｍｍ、下層吸収層３２の厚さを３.０ｍｍ、上層吸収層３１の密度を０．１２ｇ／ｃｍ３、下層吸収層３２の密度を０．１３ｇ／ｃｍ３とした。
ＳＡＰは、上層吸収層３１の重量を２．７ｇ、下層吸収層３２の重量を２．４ｇ、合計５．１ｇ、上層吸収層３１の面積を１８１．７ｃｍ２、下層吸収層３２の面積を１０６．２ｃｍ２、上層吸収層３１の坪量を１４８．６ｇ／ｍ２、下層吸収層３２の坪量を２２６ｇ／ｍ２、上下２層の坪量比を（下層／上層＊１００）１５２％、上層吸収層３１の厚さを３.０ｍｍ、下層吸収層３２の厚さを３.０ｍｍ、上層吸収層３１の密度を０．０５ｇ／ｃｍ３、下層吸収層３２の密度を０．０８ｇ／ｃｍ３とした。
また、トップシート２、上層吸収層３１及び下層吸収層３２を図１（ｂ）のようにチャネルエンボスを施し、バックシート４を積層したものの周囲をホットメルト系接着剤を用いて固定し、吸収性物品１を作成した。
【００４４】
その他実施例及び比較例においては、表１に示す組成で、吸収層の基材であるフラッフパルプ量とＳＡＰ量を調整し、吸収性物品１を作成した。
【００４５】
（吸収層の面積）
吸収層の面積は、吸収層を上部より撮影し、画像解析ソフトであるＷｉｎ  ＲＯＯＦ（三谷商事株式会社製）を用いて画像処理を行い、測定した。
【００４６】
（吸収層の厚さ）
吸収層の厚さは、ハイトゲージ（株式会社ミツトヨ製）を用いて行った。無荷重下及び３５ｇｆ／ｃｍ２の荷重条件下で、厚みを測定した。３５ｇｆ／ｃｍ２の荷重条件下では、円形の錘（５０ｍｍφ）を吸収層の中央部に載せ、ハイトゲージで錘の上面までの厚みを測定した後、錘の厚みを差引いて求めた。フラッフパルプ単独での厚さ（表１におけるフラッフパルプ厚さ）と、フラッフパルプ中に、高吸収性ポリマーを混合して形成したものの厚さを（表１におけるＳＡＰ厚さ）測定した。
【００４７】
（高吸収性ポリマーの坪量）
高吸収性ポリマーの坪量は、高吸収性ポリマーの配合量（表１におけるＳＡＰ重量）を、上記で測定した吸収層の面積（表１におけるフラッフパルプ面積）に基づいて、算出した。
【００４８】
（吸収層の密度）
吸収層の密度は、上記で測定した吸収層の坪量及び厚みに基づいて、算出した。
【００４９】
（官能評価）
本実施例において、官能評価を行った。２０名のパネラーに対して、吸収性物品である実施例１〜３及び比較例１〜６の柔らかさの評価を実施した。「（ａ）凹凸感がない」、「（ｂ）どちらでもない」、「（ｃ）凹凸感あり」のいずれかの評価を選択させた。（ａ）の評価が１４〜２０人のときを「○」、（ａ）の評価が８〜１３人のときを「△」、（ａ）の評価が０〜７人のときを「×」で表示した。
その結果を表１の官能評価による表面の凹凸感に示す。
【００５０】
（吸収性物品の吸収性能）
吸収性物品の吸収速度は、測定器具を吸収体の中央に設置し、９％生理食塩水４０ｍＬを注入した瞬間から完全に吸収されるまでの時間を測定した。吸収された後、３分間放置し、同様の条件で２回目を測定した。さらに、同条件で繰り返し、３回目を測定した。
吸収性物品の液戻り量は、９％生理食塩水２００ｍＬを吸収体の中央に一度に注入した後１０分間放置し、ろ紙を乗せ、３５ｇｆ／ｃｍ２の荷重をかけ１分間放置した。１分経過後、ろ紙の重量を測定し、元のろ紙の重量を差し引いて、液戻り量を求めた。
【００５１】
（総合評価）
本実施例において、吸収性物品の吸収性能及び官能評価の結果を基に、総合評価を行った。吸収性物品として、非常に優れているものを「◎」、優れているものを「○」、普通のものを「△」、劣っているものを「×」で表示した。その結果を表１に示す。
【００５２】
【表１】
2015008883.tif 000003
【００５３】
この結果、表１に示すように、本実施例に係る吸収性物品１は、上層吸収層に対する下層吸収層が、面積比で４０〜７０％、下層吸収層の基材（フラッフパルプ）の坪量が、上層吸収層の基材（フラッフパルプ）の坪量の８０〜１６０％、下層吸収層の高吸収性ポリマー（ＳＡＰ）の坪量が、上層吸収層の高吸水性ポリマー（ＳＡＰ）の坪量の１００〜３００％であり、上層吸収層と下層吸収層が重なる領域に、上層吸収層から下層吸収層に至るまでチャネルエンボスが形成されることが好適であることが分かった。
【００５４】
また、総合評価として、上層吸収層に対する下層吸収層が、面積比で４０〜７０％、下層吸収層の基材（フラッフパルプ）の坪量が、上層吸収層の基材（フラッフパルプ）の坪量の８０〜１６０％、下層吸収層の高吸収性ポリマー（ＳＡＰ）の坪量が、上層吸収層の高吸水性ポリマー（ＳＡＰ）の坪量の１００〜３００％、チャネルエンボスを、図１（ｂ）に示すように形成することにより、装着感、フィット性及び吸収性能に優れた吸収性物品を提供することができることが判明した。
【００５５】
以上、実施形態を用いて本発明を説明したが、本発明の技術範囲は上記実施形態に記載の範囲に限定されないことは言うまでもない。上記実施形態に、多様な変更または改良を加えることが可能であることが、当業者には明らかである。また、その様な変更または改良を加えた形態も本発明の技術範囲に含まれ得ることが、特許請求の範囲から明らかである。
【符号の説明】
【００５６】
１      吸収性物品
１０    吸収性物品本体
２      トップシート
３      吸収層
３１    上層吸収層
３２    下層吸収層
４      バックシート
５      立体ギャザー
５１    立体ギャザー用弾性部材
６      キャリアシート
７      液拡散性シート
８      チャネルエンボス
８１    第１チャネルエンボス
８２    第２チャネルエンボス
８３    第３チャネルエンボス
８４    第４チャネルエンボス
Ａ      長手方向前方部
Ｂ      長手方向後方部
Ｗ１    上層吸収層の厚さ
Ｗ２    下層吸収層の厚さ
Ｗ３    下層吸収層のエンボスの深さ 
【図１】
2015008883.tif 000004
【図２】
2015008883.tif 000005
【図３】
2015008883.tif 000006